(57)【要約】      （修正有）【課題】導水部品内側表面に金属箔層を設け、該金属箔層を発熱面との間に置くことで加熱器の発熱面をきれいに保ち、最良の熱伝導効率を得ることができ、また、導水部品を交換するとき同時に該金属箔層を取り外し交換することができるため、加熱器表面の手入れの手間が省け、効率よく作業を行なうことができる、導水部品の提供。【解決手段】主に毛細繊維から構成される導引層３２を筒状に設け、その内側の加熱器の発熱面１１に相対する位置に金属箔層３１を設けて加熱器１の発熱面と導引層の間を阻隔すると共に、加熱器の熱エネルギーが金属箔層の伝導を介し、導水層が含有する水液に作用し、直接熱交換を行なって蒸気を発生させる。【選択図】図３
0003104142.tif 000002
【実用新案登録請求の範囲】
【請求項１】
加熱用の導水部品であって、特に加温式加湿器に用い、水液を加熱器に導引して蒸発させる導水部品であり、該導水部品には主に毛細繊維から構成される導引層を筒状に設け、その内側の加熱器の発熱面に相対する位置に金属箔層を設けたことを特徴とする加熱用導水部品。
【請求項２】
該導引層の内側面にさらに張力層を設けた請求項１に記載の加熱用導水部品。
【請求項３】
該導水部品下端部にさらに折りたたんだ状態で裾部を形成し水液を濾過する請求項1に記載の加熱用導水部品。
【請求項４】
該導水部品に設けた吸水層が、短繊維からなる高密度な編織物である請求項1に記載の加熱用導水部品。
【請求項５】
加熱用導水部品の濾過装置であって、特に加温式加湿器に用い、水液を加熱器に導引し蒸発させる導水部品の濾過装置であって、主に毛細繊維から構成される導引層を筒状に設けた導水部品の下端部にさらに環状のフィルター材を設置したことを特徴とする加熱用導水部品の濾過装置。
【考案の詳細な説明】
【技術分野】
【０００１】
本考案は加熱用導水部品に関し、特に、加温式加湿器に用いられ、水液を加温器に導引して熱交換を行なわせ、水蒸気を発生させる導水部品であって、主に毛細繊維から成る導引層で筒状の主体を形成し、加熱内表面は加熱器の発熱面の表面と対面する位置に導熱性の金属箔層を備え、外囲が導水部品に機械的に束縛される、加温式導水部品構造体に関する。
【背景技術】
【０００２】
加温により蒸気を発生する設計については、導水部品を利用し、微量の水液を加熱器へ導引して瞬時に蒸気を発生させるものがあり、日本には一般に加熱器の外囲に導水部品が設けられており、導水部品を利用し水液を加熱器表面へ導引し、熱交換により水蒸気に変えて利用するものがある。図１に示すように、蒸気発生器１０は、円錐型加熱器１を台座２の上方に設置し、台座２に水液補給用の水槽２１を開設して構成され、該加熱器１の外表に発熱面１１を形成し、該発熱面１１の表面に筒状の導水部品３を被せるように設置し、該導水部品３の下端が該水槽２１に接し、毛細繊維により水液を上方向へ吸上げ加熱器１の発熱面11まで導引し、該導水部品３が直接発熱面１１を覆っており、且つ、該発熱面１１は高温で作用するため、導水部品３と直接接触して熱交換を起こし、水液を蒸気へと変える。このとき、両者間は直接接触しているため、該導水部品３は水中の塵埃や雑物を直接吸上げてしまい、該発熱面１１で石灰化したり水中の炭酸カルシウムが集結してスケールを形成し、発熱面がたまったスケールに阻隔され、熱伝導効率が低下してしまう。
【考案の開示】
【考案が解決しようとする課題】
【０００３】
前述の問題に鑑みて、本考案の主な目的は、該導水部品内側表面に金属箔層を設け、該金属箔層を発熱面との間に置くことで加熱器の発熱面をきれいに保ち、最良の熱伝導効率を得ることができ、また、導水部品を交換するとき同時に該金属箔層を取り外し交換することができるため、加熱器表面の手入れの手間が省け、効率よく作業を行なうことができる、導水部品を提供することにある。
【０００４】
本考案の第二の目的は、該導引層の組立て構造力を増強するため、張力層を基礎とし、さらに外表に吸水層を設けた導水部品を提供することにある。
【０００５】
本考案の第三の目的は、該導水部品の下端部に折りたたんだ状態の裾部を直接形成し、該裾部の厚みを備えた形体を利用し、水液を濾過する機能を備えた、導水部品を提供することにある。
【０００６】
本考案の第四の目的は、該導水部品の下端部に、異なる水質に対応させた条件下において、異なる水質の水液を効果的に濾過するためのフィルター材を追加設置することができる、導水部品を提供することにある。  
【課題を解決するための手段】
【０００７】
加温式加湿器に用いる、水液を加熱器に導引して蒸発させるための導水部品であって、主に毛細繊維から構成される導引層を筒状に設け、その内側の加熱器の発熱面に相対する位置に金属箔層を設けて加熱器の発熱面と導引層の間を阻隔すると共に、加熱器の熱エネルギーが金属箔層の伝導を介し、導水層が含有する水液に作用し、直接熱交換を行なって蒸気を発生させる。
【実施例１】
【０００８】
本考案の実施例をまず図２に示す。本考案の導水部品３は、基本的には消耗品であり、毛細繊維から成る導引層３２の内部に導熱作用を有する金属箔層３１を形成し、全体は加熱器の外型に合わせた筒状体を呈し、柱状の加熱器の表面に被せるように設置される。
【０００９】
図３に示すように、本考案の導水部品３は、基本上的には加熱器１の外型に合わせた筒状体を形成し、上半分が加熱器１の発熱面１１に組み合わせられ、下半分が下半部３３を形成する。本体は毛細繊維による吸上げ作用を備えた導水層３２を筒状に丸めて構成され、該導水層３２の発熱面１１に対面する面上に一層の導熱作用を備えた金属箔層３１を設け、下半部３３が上方向へ吸い上げ導引する水液が上段部に進入すると、加熱器１の熱エネルギーが金属箔層３１の伝導を介し、導水層３２が含有する水液に作用し、直接熱交換を行い蒸気を発生する。
【００１０】
該金属箔層３１が加熱器１の発熱面１１と導水層３２との間を隔てているため、導引層３２が含有する水の中の雑物が加熱により石灰化したスケールを形成するとき、金属箔層３１の外表に残留するため、スケールが直接発熱面１１上に付着することがなく、また、該導水部品３は消耗品であるため、交換時に同時に該金属箔層３１を取り外すと、露出された発熱面１１はきれいな表面を保っており、良い熱伝導効率を維持することができ、また手入れも特に必要がない。
【００１１】
本考案の下半部の部分は内表面に金属箔層を設ける必要はなく、金属箔層は熱エネルギーを導通するため、下半部３３の部分には金属箔層３１を設けずに、加熱器１の熱エネルギーが底部に溜まった水液に対し加熱するのを防ぐ。
【００１２】
図４に示すように、本考案の導水部品３は、金属箔層３１の外囲に水液の導引層３２を貼り付けた形で構成されるが、該導引層３２の構造上の強度を保つため、さらに一面上に張力層３２１を設け、その外囲にさらにコットンの吸水層３２２を設置し、該吸水層３２２により下半部３３の水液を上方向へ導引する。該張力層３２１は長繊維の編み構造のものとし、高機械強度を備えた基礎編み構造体を形成するため、比較的大きな引っ張り力と適当な弾力を得ることができ、金属箔層31に対し拘束圧力を与え、前述の加熱器の外表に被せて設置する時、適切な束縛力を生むことができる。  
【００１３】
また、該張力層３２１外表に吸水層３２２を組み合わせることで、該張力層３２１の存在により、該吸水層３２２は短繊維で構成するコットンの吸水層を採用することができ、これにより該吸水層に比較的高密度な隙間を構成させ、効果的に水液を導引させることが可能になり、且つ、この取り付け付加式の編み構造の関係により、吸水層３２２の繊維数の分布量の大きさを選択して吸水層３２２を厚みの異なる編み構造体とすることもでき、例えば先に前述の加熱器の下端に進入する位置は大量の水液を吸上げるようにし、下から上へ向って吸水層３２２を薄く設計してもよく、吸水層の厚みを変えることで、水蒸気発生条件の必要性に合わせ、その厚みを調節することができる。
【実施例２】
【００１４】
図５に示すように、水液内に雑物が混じることがよくあるため、同一単体内部で予め濾過することができれば、必然的に熱交換部分の作業効率向上に有利であり、このため、本考案の導水部品３の下半部３３の下端部に、直接折り曲げる方式で比較的厚みのある裾部４を設けても良く、該裾部４は連続して折り曲げられているため、水液が進入した後その折り曲げられた表面にそってより長い経路で上方向へ導引されるため、この長い経路と厚みのある裾部により、下方の水液の雑物や顆粒粒子を事前に濾過することができる。
【実施例３】
【００１５】
図６に同様に予め濾過する機能を持たせた別の実施例を示す。この実施例においては、さらに水質状態の違いに合わせ、異なる機能のフィルターを用いて濾過を行なうこともできる。導水部品３の下端部に環状の濾過材５を設置し、該濾過材５の導水部品３下端部に相対する箇所に凹溝５１を形成して水液を導通させ、該濾過材５は異なる雑物や有機物に合わせ対抗力のある濾過材を用いることができる。      
【図面の簡単な説明】
【００１６】
【図１】従来の導水部品を加熱器に組み込んだ状体を示す側面透視図である。
【図２】本考案の立体外観図である。
【図３】本考案の立体組立て図である。
【図４】本考案の導水部品の構造を示す立体分解図である。
【図５】本考案の導水部品の下半部に濾過用の裾部を設けた状態を示す側面図である。
【図６】本考案にフィルター材を設けた状態を示す側面図である。
【符号の説明】
【００１７】
１      加熱器
１０    蒸気発生器
１１    発熱面
２      台座
２１    水槽
３      導水部品
３１    金属箔層
３２    導引層
３２１  張力層
３２２  吸水層
３３    下半部
４      裾部
５      フィルター材
５１    凹溝
【図１】
0003104142.tif 000003
【図２】
0003104142.tif 000004
【図３】
0003104142.tif 000005
【図４】
0003104142.tif 000006
【図５】
0003104142.tif 000007
【図６】
0003104142.tif 000008